(57)【要約】【課題】カバー部材と便器本体との隙間を低減させつつカバー部材を便器本体に効率良く組み付けることができると共に、両者を組み付けた状態における水洗大便器全体の意匠性を向上させることもできる水洗大便器を提供する。【解決手段】本発明の水洗大便器１は、便器本体２の外周部１８の後方側を覆うように取り外し可能に取り付けられるカバー部材６，８と、便器本体の外周部の後方側壁部に設けられた便器本体側被取付部２６，２８，３４，３６に対してカバー部材のカバー側取付部２２，２４，３０，３２が取り付けられると、カバー部材と便器本体の外周部の後方側壁部との隙間を低減させるように、カバー部材を誘導する隙間低減手段Ｓ１，Ｓ２と、を有し、隙間低減手段は、カバー部材を便器本体に対して前方且つ内側に誘導可能に構成されている。【選択図】図６
2020165173.tif 000002
【特許請求の範囲】
【請求項１】
洗浄水により洗浄されて汚物を排出する水洗大便器であって、
汚物を受けるボウル部と、このボウル部の周囲に形成された外周部と、を備えた便器本体と、
上記便器本体の外周部の後方側を覆うように上記便器本体に対して取り外し可能に取り付けられるカバー部材と、
上記便器本体の外周部の後方側壁部に設けられた便器本体側被取付部に対して上記カバー部材のカバー側取付部が取り付けられると、上記カバー部材と上記便器本体との隙間を低減させるように上記カバー部材を誘導する隙間低減手段と、を有し、
上記隙間低減手段は、上記カバー部材を上記便器本体に対して前方且つ内側に誘導可能に構成されていることを特徴とする水洗大便器。
【請求項２】
上記便器本体側被取付部は、上記便器本体の外周部の後方側壁部に設けられ且つ後方に向かって内側へ傾斜する便器本体側傾斜面を備え、
上記カバー側取付部は、上記便器本体側傾斜面と対向するように後方に向かって内側へ傾斜するカバー側傾斜面を備え、
上記隙間低減手段は、上記カバー側傾斜面を上記便器本体の内側斜め前方に向けて誘導可能に上記便器本体側傾斜面に設けられている請求項１記載の水洗大便器。
【請求項３】
上記便器本体側傾斜面は、上方から下方に向かって後方側に傾斜している請求項２記載の水洗大便器。
【請求項４】
上記カバー側取付部は、上記カバー部材の前方側に設けられており、
上記隙間低減手段は、上記カバー側取付部の上記カバー側傾斜面に設けられている請求項２又は３に記載の水洗大便器。
【請求項５】
上記隙間低減手段は、上記カバー部材の一部と対向し、上記カバー部材を上記便器本体の前方に向けて誘導する第１誘導部と、
上記カバーの一部と対向し、上記カバー部材を上記便器本体の内側に向けて誘導する第２誘導部と、を備えている請求項１乃至４の何れか１項に記載の水洗大便器。
【発明の詳細な説明】
【技術分野】
【０００１】
本発明は、水洗大便器に係り、特に、洗浄水により洗浄されて汚物を排出する水洗大便器に関する。
【背景技術】
【０００２】
従来から、洗浄水により洗浄されて汚物を排出する水洗大便器において、例えば、特許文献１に記載されているように、便器本体の後部を外側から隠蔽するカバー部材を備えているものが知られている。
このような上述した特許文献１に記載されている従来の水洗大便器のカバー部材については、互いに隣接して取り付けられるカバー部材同士の取付部において、磁石及び鉄板がそれぞれ設けられている。これにより、隣接するカバー部材同士は、互いの取付部の磁石と鉄板とが互いに引き付け合う力（磁力）により固定されると共に、便器本体に対しても固定され、便器本体の後部に設けられた機能部を外側から覆うことができるようになっている。
【先行技術文献】
【特許文献】
【０００３】
【特許文献１】特開２００８−９５４５１号公報
【発明の概要】
【発明が解決しようとする課題】
【０００４】
しかしながら、上述した従来の水洗大便器においては、カバー部材を便器本体の後部に組み付ける際に、カバー部材が所望の組付位置から多少ずれた位置で組み付けられたとしても、互いに隣接するカバー部材の鉄板側の取付部が磁石側の取付部に引き付けられて固定されてしまうという問題がある。
また、カバー部材を便器本体に対して所望の組付位置に精度良く組み付けることが難しいため、所望の組付位置からずれた位置で組み付けられた場合には、便器本体とカバー部材との間の隙間が大きい状態で組み付けられることになり、カバー部材を便器本体に対して組み付けた状態の水洗大便器全体の外観の意匠性の低下を招くという問題もある。
さらに、便器本体とカバー部材との間の隙間を小さくするためには、カバー部材を便器本体の所望の組付位置に組み付ける必要があるため、組付作業の負担も大きくなるという問題もあるため、カバー部材を便器本体に組み付ける際に、いかに両者の隙間を小さくかつ効率良く組み付けるかが従来から要請された課題となっている。
【０００５】
そこで、本発明は、上述した従来技術の問題点及び従来から要請された課題を解決するためになされたものであり、カバー部材と便器本体との隙間を低減させつつカバー部材を便器本体に効率良く組み付けることができると共に、両者を組み付けた状態における水洗大便器全体の意匠性を向上させることもできる水洗大便器を提供すること目的としている。
【課題を解決するための手段】
【０００６】
上述した課題を解決するために、本発明は、洗浄水により洗浄されて汚物を排出する水洗大便器であって、汚物を受けるボウル部と、このボウル部の周囲に形成された外周部と、を備えた便器本体と、上記便器本体の外周部の後方側を覆うように上記便器本体に対して取り外し可能に取り付けられるカバー部材と、上記便器本体の外周部の後方側壁部に設けられた便器本体側被取付部に対して上記カバー部材のカバー側取付部が取り付けられると、上記カバー部材と上記便器本体との隙間を低減させるように上記カバー部材を誘導する隙間低減手段と、を有し、上記隙間低減手段は、上記カバー部材を上記便器本体に対して前方且つ内側に誘導可能に構成されていることを特徴としている。
このように構成された本発明においては、カバー部材を便器本体の外周部の後方側を覆うように取り付ける際、まず、カバー側取付部を便器本体側被取付部に取り付けることにより、カバー部材が便器本体に対して暫定的に組み付けられる。
そして、このカバー部材は、隙間低減手段により、カバー部材と便器本体の外周部の後方側壁部との隙間を低減させるように、便器本体に対して前方且つ内側に誘導される。
したがって、このような隙間低減手段によって、カバー側取付部を便器本体側被取付部に取り付けるだけで、便器本体に対して組み付けるカバー部材の向きや姿勢にほとんど影響を受けることなく、カバー部材と便器本体の外周部の後方側壁部との隙間を低減させるようにカバー部材を誘導することができる。
よって、カバー部材について、便器本体との隙間を低減させつつ、便器本体に効率良く組み付けることができる。
また、カバー部材を便器本体に対して組み付けた状態における水洗大便器全体の外観等の意匠性を向上させることもできる。
【０００７】
本発明において、好ましくは、上記便器本体側被取付部は、上記便器本体の外周部の後方側壁部に設けられ且つ後方に向かって内側へ傾斜する便器本体側傾斜面を備え、上記カバー側取付部は、上記便器本体側傾斜面と対向するように後方に向かって内側へ傾斜するカバー側傾斜面を備え、上記隙間低減手段は、上記カバー側傾斜面を上記便器本体の内側斜め前方に向けて誘導可能に上記便器本体側傾斜面に設けられている。
このように構成された本発明においては、隙間低減手段が、便器本体の外周部の後方側壁部に設けられ且つ後方に向かって内側へ傾斜する便器本体側被取付部の便器本体側傾斜面に設けられているため、便器本体に対して暫定的に組み付けられたカバー部材における便器本体側傾斜面と対向するように後方に向かって内側へ傾斜するカバー側取付部のカバー側傾斜面について、便器本体の内側斜め前方に向けて効率良く誘導することができる。
したがって、カバー部材を便器本体に組み付けた際、カバー部材を便器本体に対して前方且つ内側に効率良く誘導することができる。
【０００８】
本発明において、好ましくは、上記便器本体側傾斜面は、上方から下方に向かって後方側に傾斜している。
このように構成された本発明においては、隙間低減手段である便器本体側傾斜面が上方から下方に向かって後方側に傾斜しているため、カバー部材を便器本体に対して組み付けた際、便器本体側傾斜面にカバー部材側の組み付け面が接触することにより、カバー部材から便器本体側傾斜面に対して面法線方向に作用する接触力が発生する。
このとき、カバー部材側の組み付け面が便器本体側傾斜面に作用する接触力に対する重力加速度方向成分の力（鉛直方向下向きの分力）により、カバー部材を便器本体に対して下側の組付位置まで誘導することができる。
同時に、カバー部材側の組み付け面が便器本体側傾斜面に作用する接触力に対する水平前後方向成分の力（水平前後方向前向きの分力）により、カバー部材を便器本体に対して前側の組付位置まで誘導することができる。
これらの結果、カバー部材を便器本体に組み付けた際、カバー部材を便器本体に対して前方且つ下側の組付位置に効率良く誘導することができる。
【０００９】
本発明において、好ましくは、上記カバー側取付部は、上記カバー部材の前方側に設けられており、上記隙間低減手段は、上記カバー側取付部の上記カバー側傾斜面に設けられている。
このように構成された本発明においては、隙間低減手段であるカバー側取付部のカバー側傾斜面が、カバー部材の前方側（便器本体の外周部の後方側壁部に近接する側）に設けられているため、カバー部材と便器本体の外周部の後方側壁部との隙間をより効果的に低減させることができる。
したがって、カバー部材を便器本体に対して組付位置に組み付けた状態における水洗大便器全体の外観等の意匠性をより効果的に向上させることができる。
【００１０】
本発明において、好ましくは、上記隙間低減手段は、上記カバー部材の一部と対向し、上記カバー部材を上記便器本体の前方に向けて誘導する第１誘導部と、上記カバーの一部と対向し、上記カバー部材を上記便器本体の内側に向けて誘導する第２誘導部と、を備えている。
このように構成された本発明においては、隙間低減手段の第１誘導部によりカバー部材を便器本体の前方の組付位置に向けて誘導することができると共に、隙間低減手段の第２誘導部によりカバー部材を便器本体の内側の組付位置に向けて誘導することができる。
したがって、カバー部材を便器本体との隙間を低減させつつ、便器本体に対して確実に且つ一体的に組み付けることができる。
【発明の効果】
【００１１】
本発明の水洗大便器によれば、カバー部材と便器本体との隙間を低減させつつカバー部材を便器本体に効率良く組み付けることができると共に、両者を組み付けた状態における水洗大便器全体の意匠性を向上させることもできる。
【図面の簡単な説明】
【００１２】
【図１】本発明の第１実施形態による水洗大便器を斜め後方且つ上方から見た概略斜視図である。
【図２】本発明の第１実施形態による水洗大便器の平面図である。
【図３】本発明の第１実施形態による水洗大便器の便器本体及びカバー部材の分解斜視図である。
【図４】本発明の第１実施形態による水洗大便器の便器本体の第１便器本体側被取付部及び第１カバー部材の分解平面図である。
【図５】図３に示す本発明の第１実施形態による水洗大便器の便器本体において第１便器本体側被取付部の部分を拡大した部分拡大斜視図である。
【図６】本発明の第１実施形態による水洗大便器の便器本体における第１便器本体側被取付部の部分を拡大した部分拡大側面図である。
【図７】本発明の第１実施形態による水洗大便器のカバー部材が便器本体に対して暫定組付位置から最終組付位置まで誘導される状態を上方から見て模式的に説明した図である。
【図８】本発明の第２実施形態による水洗大便器のカバー部材が便器本体に対して暫定組付位置から最終組付位置まで誘導される状態を上方から見て模式的に説明した図である。
【図９】本発明の第３実施形態による水洗大便器のカバー部材が便器本体に対して暫定組付位置から最終組付位置まで誘導される状態を上方から見て模式的に説明した図である。
【発明を実施するための形態】
【００１３】
以下、添付図面を参照して、本発明の第１実施形態による水洗大便器について説明する。
まず、図１は、本発明の第１実施形態による水洗大便器を斜め後方且つ上方から見た概略斜視図である。また、図２は、本発明の第１実施形態による水洗大便器の平面図である。
図１及び図２に示すように、本発明の第１実施形態による水洗大便器１は、便器本体２と、その後方側に設けられたタンク装置４と、便器本体２に対して取り外し可能に取り付けられてタンク装置４の左右両側を覆う一対のカバー部材（第１カバー部材６及び第２カバー部材８）と、を備えている。
便器本体２は、汚物を受けるボウル部１０と、このボウル部１０の上縁に形成されるリム部１２と、ボウル部１０の底部から延びてボウル部１０内の汚物を排出する排水トラップ部（図示せず）と、を備えている。
【００１４】
つぎに、図３は、本発明の第１実施形態による水洗大便器の便器本体及びカバー部材の分解斜視図である。
なお、図３では、一方側の第１カバー部材６のみを図示し、他方側の第２カバー部材８の図示は省略している。
図１〜図３に示すように、タンク装置４は、水道等の給水源（図示せず）から供給された洗浄水を貯水する貯水タンク１４、及び、この貯水タンク１４内の洗浄水を便器本体２に圧送するポンプ１６等を備えている。
すなわち、本実施形態では、タンク装置４としては、ポンプ１６の補圧を利用して貯水タンク１４内の洗浄水を便器本体２に供給することができるような形態について説明するが、このような形態に限られず、他の形態についても適用可能である。
例えば、貯水タンクに貯水した洗浄水について重力を利用して便器本体２に供給する、いわゆる、重力給水式の貯水タンクの形態を採用してもよいし、或いは、水道水の給水圧を直接利用した水道直圧式の形態やフラッシュバルブ式の形態を採用してもよい。
【００１５】
つぎに、図１〜図３に示すように、便器本体２は、さらに、ボウル部１０の外側の周囲に形成された外周部（スカート部１８）を備えている。カバー部材６，８は、便器本体２のスカート部１８の後方側及びタンク装置４に対して左右側方から覆うように、便器本体２に対して取り外し可能に組み付けられている。
また、図２及び図３に示すように、便器本体２のスカート部１８の後方側壁部２０には、各カバー部材６，８の前側のカバー側取付部（前側取付部２２，２４）のそれぞれが着脱可能に取り付けられる便器本体側被取付部（前側被取付部２６，２８）が設けられている。
さらに、図２及び図３に示すように、便器本体２におけるタンク装置４の後端部の左右両側には、各カバー部材６，８の後側のカバー側取付部（後側取付部３０，３２）が取り外し可能に取り付けられる便器本体側被取付部である後側被取付部３４，３６が設けられている。
また、これらのカバー部材６，８の前側取付部２２，２４及び便器本体側被取付部２６，２８については、詳細は後述するように、カバー部材６，８の前側取付部２２，２４のそれぞれが便器本体側被取付部２６，２８のそれぞれに取り付けられると、カバー部材６，８と便器本体２のスカート部１８の後方側壁部２０との隙間を低減させるように、カバー部材６，８を便器本体２に対して暫定的に組み付けられた暫定組付位置から最終組付位置に誘導可能にする隙間低減手段として機能するようになっている。
【００１６】
つぎに、図４は、本発明の第１実施形態による水洗大便器の便器本体の第１便器本体側被取付部及び第１カバー部材の分解平面図である。また、図５は、図３に示す本発明の第１実施形態による水洗大便器の便器本体において第１便器本体側被取付部の部分を拡大した部分拡大斜視図である。さらに、図６は、本発明の第１実施形態による水洗大便器の便器本体における第１便器本体側被取付部の部分を拡大した部分拡大側面図である。また、図７は、本発明の第１実施形態による水洗大便器のカバー部材が便器本体に対して暫定組付位置から最終組付位置まで誘導される状態を上方から見て模式的に説明した図である。
ここで、以下、便器本体２の前側被取付部２８については、便器本体２の前側被取付部２６と同様な構造であり、第２カバー部材８についても、第１カバー部材６と同様な構造であるため、これらの具体的な説明については省略する。
図４〜図７に示すように、便器本体２の前側被取付部２６は、便器本体２のスカート部１８の後方側壁部２０に設けられ且つ後方に向かって内側へ傾斜する便器本体側傾斜面（傾斜面Ｓ１）と、この傾斜面Ｓ１上に沿って延びるように複数配置された薄板状のマグネット３８と、を備えている。
また、図５及び図６に示すように、便器本体２の前側被取付部２６の傾斜面Ｓ１は、上方から下方に向かって後方側に傾斜している。
【００１７】
一方、図４〜図７に示すように、カバー部材６の前側取付部２２は、便器本体２の前側被取付部２６の傾斜面Ｓ１と対向するように後方に向かって内側へ傾斜するカバー側傾斜面（傾斜面Ｓ２）と、この傾斜面Ｓ２上に設けられたマグネット４０と、を備えている。
これらの便器本体２の前側被取付部２６の傾斜面Ｓ１及びマグネット３８、並びに、カバー部材６の前側取付部２２の傾斜面Ｓ２及びマグネット４０は、カバー部材６を便器本体２に対して暫定的に組み付けられた暫定組付位置Ｐ１から、カバー部材６と便器本体２のスカート部１８の後方側壁部２０との隙間Ｇ１を低減させるように、最終組付位置Ｐ２に誘導可能にする隙間低減手段として機能するようになっている。
【００１８】
ちなみに、図２〜図４に示すように、タンク装置４の各後側被取付部３４，３６及び各カバー部材６，８の後側取付部３０，３２のそれぞれについては、マグネットが設けられていない構造となっている。
また、カバー部材６，８の各後側取付部３０，３２は、上方から見てＬ字形状に形成されている。これにより、カバー部材６，８の各後側取付部３０，３２は、タンク装置４の各後側被取付部３４，３６の角部に対して後方側から引っ掛けられた状態で係合可能となっている。
【００１９】
なお、便器本体２の前側被取付部２６のマグネット３８及びカバー部材６の前側取付部２２のマグネット４０については、いずれか一方のマグネットを省略して、磁力で誘導可能な金属等の材質に代用してもよい。
或いは、マグネット３８，４０について、マジックテープ（登録商標）等のファスナ部材を採用し、一方を雄側のファスナ部材、他方を雌側のファスナ部材としてもよい。
【００２０】
つぎに、図１〜図７を参照して、上述した本発明の第１実施形態による水洗大便器１におけるカバー部材６，８を便器本体２に組み付ける方法、及び、本発明の第１実施形態による水洗大便器１の作用について説明する。
まず、本発明の第１実施形態による水洗大便器１によれば、カバー部材６，８を便器本体２の外周部（スカート部１８）の後方側を覆うように取り付ける際、まず、カバー部材６，８の各後側取付部３０，３２をタンク装置４の各後側被取付部３４，３６の角部に対して後方側から引っ掛けるように係合させる。
その後、カバー部材６，８の前側取付部２２，２４を便器本体側被取付部２６，２８に取り付ける。これにより、カバー部材６，８が便器本体２に対して暫定組付位置Ｐ１（図７参照）に暫定的に組み付けられ、タンク装置４及び便器本体２のスカート部１８の後方側壁部２０の左右両側がカバー部材６，８により覆われる。
そして、この暫定組付位置Ｐ１のカバー部材６，８は、隙間低減手段（カバー部材６，８の前側取付部２２，２４及び便器本体側被取付部２６，２８）により、カバー部材６，８と便器本体２の外周部（スカート部１８）の後方側壁部２０との隙間Ｇ１を低減させるように、便器本体２に対して前方且つ内側の最終組付位置Ｐ２（図７参照）に誘導される。
したがって、このような隙間低減手段２２，２４，２６，２８によって、カバー部材６，８の前側取付部２２，２４を便器本体側被取付部２６，２８に取り付けるだけで、便器本体２に対して組み付けるカバー部材６，８の向きや姿勢にほとんど影響を受けることなく、カバー部材６，８と便器本体２のスカート部１８の後方側壁部２０との隙間Ｇ１を低減させるように、カバー部材６，８を暫定組付位置Ｐ１から最終組付位置Ｐ２に誘導することができる。
よって、カバー部材６，８について、便器本体２との隙間Ｇ１を低減させつつ、便器本体２に効率良く組み付けることができる。
また、カバー部材６，８を便器本体２に対して組み付けた状態の水洗大便器１の全体の外観等における意匠性を向上させることもできる。
【００２１】
また、本実施形態による水洗大便器１によれば、隙間低減手段が、便器本体２のスカート部１８の後方側壁部２０に設けられ且つ後方に向かって内側へ傾斜する便器本体側被取付部２６，２８の便器本体側傾斜面Ｓ１に設けられている。
これにより、便器本体２に対して暫定的に組み付けられた暫定組付位置Ｐ１のカバー部材６，８における便器本体側傾斜面Ｓ１と対向するように後方に向かって内側へ傾斜するカバー部材６，８の前側取付部２２，２４の傾斜面Ｓ２について、便器本体２の内側斜め前方の最終組付位置Ｐ２に向けて効率良く誘導することができる。
したがって、カバー部材６，８を便器本体２に組み付けた際、カバー部材６，８を暫定組付位置Ｐ１から便器本体２に対して前方且つ内側の最終組付位置Ｐ２に効率良く誘導することができる。
【００２２】
さらに、本実施形態による水洗大便器１によれば、隙間低減手段である便器本体側傾斜面Ｓ１が上方から下方に向かって後方側に傾斜している。
これにより、カバー部材６，８を便器本体２に対して暫定組付位置Ｐ１に組み付けた際、図６及び図７に示すように、便器本体側傾斜面Ｓ１のマグネット３８に対してカバー部材６，８の前側取付部２２の組み付け面（傾斜面Ｓ２）のマグネット４０が接触する。このとき、カバー部材６，８の前側取付部２２の組み付け面（傾斜面Ｓ２）のマグネット３８から便器本体側傾斜面Ｓ１のマグネット３８の表面（外側面）に対して面法線Ｎ１の方向に作用する接触力（磁力Ｆ１）が発生する。
これにより、図６及び図７に示すように、カバー部材６，８の前側取付部２２の組み付け面（傾斜面Ｓ２）のマグネット４０が便器本体側傾斜面Ｓ１のマグネット３８に作用する接触力（磁力Ｆ１）における重力加速度方向成分の力Ｆ２（鉛直方向下向きの分力）により、暫定組付位置Ｐ１のカバー部材６、８を便器本体２に対して下側の最終組付位置Ｐ２まで誘導することができる。
同時に、図６及び図７に示すように、カバー部材６，８の前側取付部２２の組み付け面（傾斜面Ｓ２）のマグネット４０が便器本体側傾斜面Ｓ１に作用する接触力（磁力Ｆ１）に対する水平前後方向成分の力Ｆ３（水平前後方向前向きの分力）により、暫定組付位置Ｐ１のカバー部材６、８を便器本体２に対して前側の最終組付位置Ｐ２まで誘導することができる。
さらに、同時に、図７に示すように、カバー部材６，８の前側取付部２２の組み付け面（傾斜面Ｓ２）のマグネット４０が便器本体側傾斜面Ｓ１に作用する接触力（磁力Ｆ１）に対する水平左右方向成分の力Ｆ４（水平左右方向内向きの分力）により、暫定組付位置Ｐ１のカバー部材６、８を便器本体２に対して内側の最終組付位置Ｐ２まで誘導することができる。
これらの結果、カバー部材６，８を便器本体２に組み付けた際、カバー部材６，８を暫定組付位置Ｐ１から便器本体２に対して前方且つ下側で且つ内側の最終組付位置Ｐ２に効率良く誘導することができる。
【００２３】
また、本実施形態による水洗大便器１によれば、隙間低減手段である前側取付部２２，２４のカバー側傾斜面Ｓ２が、カバー部材６，８の後側取付部３０，３２よりも前方側（便器本体２のスカート部１８の後方側壁部２０に近接する側）に設けられている。
これにより、カバー部材６，８と便器本体２のスカート部１８の後方側壁部２０との隙間Ｇ１をより効果的に低減させることができる。
したがって、カバー部材６，８を便器本体２に対して最終組付位置Ｐ２に組み付けた状態における水洗大便器１の全体の外観等の意匠性をより効果的に向上させることができる。
【００２４】
つぎに、図８を参照して、本発明の第２実施形態による水洗大便器について説明する。
図８は、本発明の第２実施形態による水洗大便器のカバー部材が便器本体に対して暫定組付位置から最終組付位置まで誘導される状態を上方から見て模式的に説明した図である。
ここで、図８に示す本発明の第２実施形態による水洗大便器１００において、図１〜図７に示す本発明の第１実施形態による水洗大便器１と同一部分については同一の符号を付し、これらの説明については省略する。
まず、図８に示すように、本発明の第２実施形態による水洗大便器１００においては、便器本体１０２の前側被取付部１２６，１２８におけるマグネット３８が取り付けられている面が、便器本体２の外側側方に差し向けられて鉛直方向に延びる鉛直面（側方側鉛直面）Ｓ１０１を形成している構造となっており、図７に示す本発明の第１実施形態による水洗大便器１の便器本体側被取付部２６，２８の傾斜面Ｓ１の構造と相違している。
また、図８に示すように、本発明の第２実施形態による水洗大便器１００においては、カバー部材１０６，１０８の前側取付部１２２，１２４が便器本体１０２の前側被取付部１２６，１２８の鉛直面Ｓ１０１と対向するように内側側方に差し向けられて鉛直方向に延びる鉛直面（内側鉛直面）Ｓ１０２を形成している構造となっており、図７に示す本発明の第１実施形態による水洗大便器１のカバー部材６，８の前側取付部２２，２４の傾斜面Ｓ１の構造と相違している。
さらに、図８に示すように、本発明の第２実施形態による水洗大便器１００においては、便器本体１０２の後側被取付部１３４，１３６が、便器本体１０２のスカート部１１８の最も後方側の壁部（後方側壁部１２０）に設けられ且つ後方に向かって内側へ傾斜する便器本体側傾斜面（傾斜面Ｓ１０３）と、この傾斜面Ｓ１０３上マグネット３８とを備えている構造となっており、本発明の第１実施形態による水洗大便器１のタンク装置４の各後側被取付部３４，３６のマグネットが設けられていない構造と相違している。
また、図８に示すように、本発明の第２実施形態による水洗大便器１００においては、カバー部材１０６，１０８の後側取付部１３０，１３２が、便器本体側傾斜面（傾斜面Ｓ１０３）と対向するように後方に向かって内側へ傾斜する傾斜面Ｓ１０４を形成している構造となっているおり、本発明の第１実施形態による水洗大便器１のカバー部材６，８の各後側取付部３０，３２のマグネットが設けられていない構造と相違している。
【００２５】
すなわち、本実施形態による水洗大便器１００の便器本体１０２の後側被取付部１３４，１３６及びカバー部材１０６，１０８の後側取付部１３０，１３２のそれぞれの傾斜面Ｓ１０３，Ｓ１０４のマグネット３８，４０は互いに対向し、暫定組付位置Ｐ１０３のカバー部材１０６，１０８を前方且つ内側の最終組付位置Ｐ１０４に向けて誘導する第１誘導部として機能するようになっている。
また、本実施形態による水洗大便器１００の便器本体１０２の前側被取付部１２６，１２８及びカバー部材１０６，１０８の前側取付部１２２，１２４のそれぞれの鉛直面Ｓ１０１，Ｓ１０２のマグネット３８，４０は互いに対向し、暫定組付位置Ｐ１０１のカバー部材１０６，１０８の前側取付部１２２，１２４を内側の最終組付位置Ｐ１０２に向けて誘導する第２誘導部として機能するようになっている。
これらにより、本実施形態による水洗大便器１００では、便器本体１０２の後側被取付部１３４，１３６の傾斜面Ｓ１０３及びカバー部材１０６，１０８の後側取付部１３０，１３２の傾斜面Ｓ１０４、並びに、これらに取り付けられたマグネット３８，４０が隙間低減手段として機能し、カバー部材１０６，１０８の後側取付部１３０，１３２の傾斜面Ｓ１０４を便器本体１０２の内側斜め前方に向けて誘導可能となっている。
【００２６】
上述した本発明の第２実施形態による水洗大便器１００によれば、カバー部材１０６，１０８を便器本体１０２に対して暫定組付位置Ｐ１０１に組み付けた際、図８に示すように、便器本体１０２の前側被取付部１２６，１２８においては、鉛直面Ｓ１０１のマグネット３８にカバー部材１０６，１０８の前側取付部１２２，１２４の組み付け面（鉛直面Ｓ１０２）のマグネット４０が接触する。
このとき、カバー部材１０６，１０８の前側取付部１２２，１２４の組み付け面（傾斜面Ｓ１０４）のマグネット４０から便器本体１０２の前側被取付部１２６，１２８の鉛直面Ｓ１０１のマグネット３８の表面（外側面）に対して面法線Ｎ１０１の方向に作用する接触力（磁力Ｆ１０１）が発生する。
これにより、暫定組付位置Ｐ１０３のカバー部材１０６、１０８を便器本体１０２に対して前側の最終組付位置Ｐ１０４まで誘導することができる。
【００２７】
一方、図８に示すように、便器本体１０２の後側被取付部１３４，１３６においては、傾斜面Ｓ１０３のマグネット３８に対してカバー部材１０６，１０８の後側取付部１３０，１３２の組み付け面（傾斜面Ｓ１０４）のマグネット４０が接触する。
このとき、カバー部材１０６，１０８の後側取付部１３０，１３２の組み付け面（傾斜面Ｓ１０４）のマグネット４０から便器本体１０２の後側被取付部１３４，１３６の傾斜面Ｓ１０３のマグネット３８の表面（外側面）に対して面法線Ｎ１０２の方向に作用する接触力（磁力Ｆ１０２）が発生する。
また、特に、カバー部材１０６，１０８の後側取付部１３０，１３２の組み付け面（傾斜面Ｓ１０４）のマグネット４０が便器本体１０２の後側被取付部１３４，１３６の傾斜面Ｓ１０３のマグネット３８に作用する接触力（磁力Ｆ１０２）に対する水平左右方向成分の力（水平左右方向の内向きの分力）により、暫定組付位置Ｐ１０３のカバー部材１０６、１０８を便器本体１０２に対して下側の最終組付位置Ｐ１０４まで誘導することができる。
同時に、カバー部材１０６，１０８の後側取付部１３０，１３２の組み付け面（傾斜面Ｓ１０４）のマグネット４０が便器本体１０２の後側被取付部１３４，１３６の傾斜面Ｓ１０３のマグネット３８に作用する接触力（磁力Ｆ１０２）に対する水平前後方向成分の力Ｆ３（水平前後方向の前向きの分力）により、暫定組付位置Ｐ１０３のカバー部材１０６、１０８を便器本体１０２に対して前側の最終組付位置Ｐ１０４まで誘導することができる。
これらの結果、カバー部材１０６，１０８を便器本体１０２に組み付けた際、カバー部材１０６，１０８と便器本体１０２のスカート部１１８の後方側壁部１２０との隙間Ｇ１０１，Ｇ１０２を低減させるように、カバー部材１０６，１０８の前側取付部１２２，１２４及び後側取付部１３０，１３２のそれぞれについて、暫定組付位置Ｐ１０１，Ｐ１０３から便器本体１０２に対して前方且つ内側の最終組付位置Ｐ１０２，Ｐ１０４に効率良く誘導することができる。
【００２８】
つぎに、図９を参照して、本発明の第３実施形態による水洗大便器２００について説明する。
図９は、本発明の第３実施形態による水洗大便器のカバー部材が便器本体に対して暫定組付位置から最終組付位置まで誘導される状態を上方から見て模式的に説明した図である。
ここで、図９に示す本発明の第３実施形態による水洗大便器２００において、図８に示す本発明の第２実施形態による水洗大便器１００と同一部分については同一の符号を付し、これらの説明については省略する。
図９に示すように、本発明の第３実施形態による水洗大便器２００においては、便器本体２０２の後側被取付部２３４，２３６及びカバー部材２０６，２０８の後側取付部２３０，２３２のそれぞれの構造が、図８に示す本発明の第２実施形態による水洗大便器１００の便器本体１０２の後側被取付部１３４，１３６及びカバー部材１０６，１０８の後側取付部１３０，１３２のそれぞれの構造と異なっている。
すなわち、本実施形態による水洗大便器２００においては、便器本体１０２の前側被取付部１２６，１２８及びカバー部材１０６，１０８の前側取付部１２２，１２４のそれぞれの鉛直面Ｓ１０１，Ｓ１０２のマグネット３８，４０は互いに対向し、暫定組付位置Ｐ１０１のカバー部材１０６，１０８の前側取付部１２２，１２４を内側の最終組付位置Ｐ１０２に向けて誘導する第２誘導部として機能する点では、上述した本発明の第２実施形態による水洗大便器１００と共通する。
しかしながら、本実施形態による水洗大便器２００では、便器本体２０２の後側被取付部２３４，２３６のそれぞれの鉛直面（背面側鉛直面）Ｓ２０３、及び、カバー部材２０６，２０８の後側取付部２３０，２３２のそれぞれの鉛直面（前側鉛直面）Ｓ２０４のマグネット３８，４０が互いに前後方向に対向し、暫定組付位置Ｐ２０３のカバー部材２０６，２０８を前方の最終組付位置Ｐ２０４に向けて誘導する第１誘導部として機能するようになっている点で上述した本発明の第２実施形態による水洗大便器１００と相違している。
また、本実施形態による水洗大便器２００では、カバー部材２０６，２０８の後側取付部２２２，２２４の組み付け面（鉛直面Ｓ２０４）のマグネット４０から便器本体２０２の後側被取付部２２６，２２８の鉛直面Ｓ２０３のマグネット３８の表面（外側面）に対して面法線Ｎ２０２の方向（便器本体２０２の前後方向前向き）に作用する接触力（磁力Ｆ２０２）が発生するようになっている。
これらにより、本実施形態による水洗大便器２００では、便器本体２０２の後側被取付部２３４，２３６の鉛直面Ｓ２０３及びカバー部材２０６，２０８の後側取付部２３０，２３２の鉛直面Ｓ２０４、並びに、これらに取り付けられたマグネット３８，４０が、隙間Ｇ２０２を低減する隙間低減手段として機能し、カバー部材２０６，２０８の後側取付部２３０，２３２の鉛直面Ｓ２０４を便器本体２０２の前方に向けて誘導可能となっている。
【００２９】
上述した本発明の第３実施形態による水洗大便器２００によれば、カバー部材２０６，２０８を便器本体２０２に組み付けた際、隙間低減手段の第１誘導部である便器本体２０２の後側被取付部２３４，２３６及びカバー部材２０６，２０８の後側取付部２３０，２３２のそれぞれの鉛直面Ｓ２０３，Ｓ２０４のマグネット３８，４０により、暫定組付位置Ｐ２０３のカバー部材２０６，２０８の後側取付部２３０，２３２を便器本体２０２の前側の最終組付位置Ｐ２０４に向けて誘導することができる。
同時に、隙間低減手段の第２誘導部である便器本体１０２の前側被取付部１２６，１２８及びカバー部材１０６，１０８の前側取付部１２２，１２４のそれぞれの鉛直面Ｓ１０１，Ｓ１０２のマグネット３８，４０により、暫定組付位置Ｐ１０１のカバー部材２０６，２０８の前側取付部１２２，１２４を便器本体２０２の内側の最終組付位置Ｐ１０２に向けて誘導することができる。
したがって、カバー部材２０６，２０８について、便器本体２０２との隙間Ｇ１０１，Ｇ２０２を低減させつつ、便器本体２０２に対して確実に且つ一体的に組み付けることができる。
【符号の説明】
【００３０】
１    本発明の第１実施形態による水洗大便器
２    便器本体
４    タンク装置
６    第１カバー部材
８    第２カバー部材
１０    ボウル部
１２    リム部
１４    貯水タンク
１６    ポンプ
１８    便器本体のスカート部（便器本体の外周部）
２０    スカート部の後方側壁部
２２    第１カバー部材の前側取付部（カバー側取付部、隙間低減手段）
２４    第２カバー部材の前側取付部（カバー側取付部、隙間低減手段）
２６    便器本体の前側被取付部（便器本体側被取付部、隙間低減手段）
２８    便器本体の前側被取付部（便器本体側被取付部、隙間低減手段）
３０    第１カバー部材の後側取付部（カバー側取付部）
３２    第２カバー部材の後側取付部（カバー側取付部）
３４    タンク装置の後側被取付部（便器本体側被取付部）
３６    タンク装置の後側被取付部（便器本体側被取付部）
３８    マグネット（隙間低減手段）
４０    マグネット（隙間低減手段）
１００    本発明の第２実施形態による水洗大便器
１０２    便器本体
１０６    第１カバー部材
１０８    第２カバー部材
１２０    スカート部の後方側壁部
１２２    第１カバー部材の前側取付部（カバー側取付部、隙間低減手段、第２誘導部）
１２４    第２カバー部材の前側取付部（カバー側取付部、隙間低減手段、第２誘導部）
１２６    便器本体の前側被取付部（便器本体側被取付部、隙間低減手段、第２誘導部）
１２８    便器本体の前側被取付部（便器本体側被取付部、隙間低減手段、第２誘導部）
１３０    第１カバー部材の後側取付部（カバー側取付部、隙間低減手段、第１誘導部）
１３２    第２カバー部材の後側取付部（カバー側取付部、隙間低減手段、第１誘導部）
１３４    便器本体の後側被取付部（便器本体側被取付部、隙間低減手段、第１誘導部）
１３６    便器本体の後側被取付部（便器本体側被取付部、隙間低減手段、第１誘導部）
２００    本発明の第３実施形態による水洗大便器
２０２    便器本体
２０６    第１カバー部材
２０８    第２カバー部材
２２０    スカート部の後方側壁部
２３０    第１カバー部材の後側取付部（カバー側取付部、隙間低減手段、第１誘導部）
２３２    第２カバー部材の後側取付部（カバー側取付部、隙間低減手段、第１誘導部）
２３４    便器本体の後側被取付部（便器本体側被取付部、隙間低減手段、第１誘導部）
２３６    便器本体の後側被取付部（便器本体側被取付部、隙間低減手段、第１誘導部）
Ｆ１    磁力（接触力）
Ｆ２    鉛直方向下向きの力（分力）
Ｆ３    水平前後方向前向きの力（分力）
Ｆ４    水平左右方向内向きの力（分力）
Ｆ１０１    磁力（接触力）
Ｆ１０２    磁力（接触力）
Ｆ１０３    水平左右方向の内向きの力（分力）
Ｆ１０４    水平前後方向前向きの力（分力）
Ｆ２０２    磁力
Ｇ１    隙間
Ｇ１０１    隙間
Ｇ１０２    隙間
Ｇ２０２    隙間
Ｎ１    面法線
Ｎ１０１    面法線
Ｎ１０２    面法線
Ｎ２０２    面法線
Ｐ１    暫定組付位置
Ｐ２    最終組付位置
Ｐ１０１    暫定組付位置
Ｐ１０２    最終組付位置
Ｐ１０３    暫定組付位置
Ｐ１０４    最終組付位置
Ｐ２０３    暫定組付位置
Ｐ２０４    最終組付位置
Ｓ１    第１便器本体側被取付部の傾斜面（便器本体側傾斜面、隙間低減手段）
Ｓ２    カバー部材の前側取付部の傾斜面（カバー側傾斜面、隙間低減手段）
Ｓ１０１    便器本体の前側被取付部の鉛直面（側方側鉛直面）
Ｓ１０２    カバー部材の前側取付部の鉛直面（内側鉛直面）
Ｓ１０３    便器本体の後側被取付部の傾斜面（便器本体側傾斜面、隙間低減手段）
Ｓ１０４    カバー部材の後側取付部の傾斜面（カバー側傾斜面、隙間低減手段）
Ｓ２０３    便器本体の後側被取付部の鉛直面（背面側鉛直面）（便器本体側傾斜面、隙間低減手段）
Ｓ２０４    カバー部材の後側取付部の鉛直面（前側鉛直面）（カバー側傾斜面、隙間低減手段）
【図１】
2020165173.tif 000003
【図２】
2020165173.tif 000004
【図３】
2020165173.tif 000005
【図４】
2020165173.tif 000006
【図５】
2020165173.tif 000007
【図６】
2020165173.tif 000008
【図７】
2020165173.tif 000009
【図８】
2020165173.tif 000010
【図９】
2020165173.tif 000011